(57)【要約】【課題】オン状態とオフ状態とに切り替え可能な出力が短絡したときに発生する損失を、従来のものよりも低減することができるスイッチング電源装置を提供する。【解決手段】スイッチング電源装置１は、第２出力ラインＬ２によって電力供給されていた負荷が短絡したときに放電するコンデンサＣ５を備え、制御部３は、一次巻線Ｔ１に流れる電流が過電流になると直流出力電圧を目標電圧よりも低下させ、直流出力電圧が低下したまま所定の時間が経過するとスイッチング素子Ｑ１のスイッチングを停止させる過電流保護機能を有し、上記所定の時間が経過するまでの間、ＭＯＳトランジスタＱ２のゲート電圧が該ＭＯＳトランジスタＱ２を導通状態とすることができる電圧となるように制御用抵抗Ｒ３にコンデンサＣ５の放電電流が流れる。【選択図】図１
2015211579.tif 000002
【特許請求の範囲】
【請求項１】
トランスの二次巻線に誘起された電圧から生成した直流出力電圧を出力する第１出力ラインと、前記第１出力ラインに接続された第２出力ラインと、前記第２出力ラインに介装された電圧制御型のスイッチ素子と、前記スイッチ素子に制御電圧を与える制御用抵抗と、前記制御用抵抗に電流を通流させることで前記スイッチ素子を導通状態にして前記直流出力電圧を前記第２出力ラインからも出力させる導通制御部と、前記直流出力電圧が目標電圧となるように前記トランスの一次巻線に与えられた電圧をスイッチングするスイッチング部とを備えたスイッチング電源装置であって、
通常時に充電され、前記第２出力ラインによって電力供給されていた負荷が短絡したときに放電するコンデンサを備え、
前記スイッチング部は、前記一次巻線に流れる電流が過電流になると前記直流出力電圧を前記目標電圧よりも低下させ、前記直流出力電圧が低下したまま所定の時間が経過すると前記スイッチングを停止させる過電流保護機能を有し、
前記所定の時間が経過するまでの間、前記制御電圧が、前記スイッチ素子を導通状態とすることができる電圧となるように前記制御用抵抗に前記コンデンサの放電電流が流れる
ことを特徴とするスイッチング電源装置。
【請求項２】
前記コンデンサの前記放電電流が前記制御用抵抗に向かうように、前記放電電流の流れを規制するダイオードをさらに備えたことを特徴とする請求項１に記載のスイッチング電源装置。
【請求項３】
前記スイッチ素子は、Ｐ型のＭＯＳトランジスタであり、
前記制御用抵抗は、前記ＭＯＳトランジスタのソース−ゲート間に接続され、
前記導通制御部は、コレクタが前記ＭＯＳトランジスタのゲートに接続され、エミッタが前記ダイオードのアノードに接続され、かつベースに外部信号が入力されるＮＰＮトランジスタを含み、
前記コンデンサは、一端が前記ＭＯＳトランジスタのソースに接続され、他端が前記ＮＰＮトランジスタのエミッタに接続され、
前記ダイオードは、カソードが前記第１および第２出力ラインと組をなす基準ラインに接続されている
ことを特徴とする請求項２に記載のスイッチング電源装置。
【発明の詳細な説明】
【技術分野】
【０００１】
本発明は、複数の出力を有するスイッチング電源装置に関し、特に、複数の出力のうちの全部ではない幾つかを外部信号に基づいてオン状態とオフ状態とに切り替え可能なスイッチング電源装置に関する。
【背景技術】
【０００２】
図５に、従来のスイッチング電源装置１０を示す。スイッチング電源装置１０は、交流電源２から入力された交流電圧に基づいて生成した直流出力電圧をＯＵＴ１端子およびＯＵＴ２端子から出力する。また、ＯＵＴ２端子からの直流出力電圧の出力は、ＣＮＴ端子に入力される外部信号に基づいてオン状態とオフ状態とに切り替え可能となっている。
【０００３】
同図に示すように、スイッチング電源装置１０の一次側には、交流電源２からの交流電圧を整流するダイオードブリッジＤ１と、整流後の電圧を平滑するコンデンサＣ１と、整流・平滑後の電圧が印加されるトランスＴの一次巻線Ｔ１と、一次巻線Ｔ１に直列接続されたスイッチング素子Ｑ１と、スイッチング素子Ｑ１のスイッチングを制御する制御部３と、スイッチング素子Ｑ１に直列接続された電流検出用抵抗Ｒ２と、起動抵抗Ｒ１とが備えられている。
【０００４】
また、スイッチング電源装置１０の一次側には、トランスＴの補助巻線Ｔ３と、補助巻線Ｔ３に誘起された電圧を整流するダイオードＤ３と、整流後の電圧を平滑するコンデンサＣ３とを含む補助電源部４も備えられている。補助電源部４が出力する直流電圧は、制御部３の電源電圧として使用される。
【０００５】
スイッチング電源装置１０の二次側には、トランスＴの二次巻線Ｔ２と、二次巻線Ｔ２に誘起された電圧を整流するダイオードＤ２と、整流後の電圧を平滑するコンデンサＣ２と、整流・平滑により得られた直流出力電圧を出力する第１出力ラインＬ１と、第１出力ラインＬ１に接続された第２出力ラインＬ２と、第２出力ラインＬ２に介装されたＰ型のＭＯＳトランジスタＱ２と、ＭＯＳトランジスタＱ２に制御電圧を与える制御用抵抗Ｒ３と、制御用抵抗Ｒ３に並列接続されたコンデンサＣ４と、ＣＮＴ端子に入力される外部信号に基づいて制御用抵抗Ｒ３に電流を通流させることでＭＯＳトランジスタＱ２を導通状態にする導通制御部５とが備えられている。ＯＵＴ１端子は第１出力ラインＬ１に設けられ、ＯＵＴ２端子は第２出力ラインＬ２に設けられている。
【０００６】
導通制御部５は、ＮＰＮトランジスタＱ３と、３つの抵抗Ｒ４、Ｒ５、Ｒ６とを含む。ＣＮＴ端子に入力される外部信号がＬレベルからＨレベルになると、ＮＰＮトランジスタＱ３がオンする。そして、制御用抵抗Ｒ３→抵抗Ｒ４→ＮＰＮトランジスタＱ３の経路で電流が流れ、制御用抵抗Ｒ３の両端に制御電圧が発生し、ＭＯＳトランジスタＱ２が導通状態となることで、ＯＵＴ１端子からだけでなくＯＵＴ２端子からも直流出力電圧が出力されるようになる。
【０００７】
制御部３は、二次側からフィードバックされた直流出力電圧をモニターしながら（図示せず）、当該直流出力電圧が目標電圧ＶＴに一致するようにスイッチング素子Ｑ１を制御する。また、制御部３は、過電流保護機能を有している。過電流保護機能は、（１）電流検出用抵抗Ｒ２による電圧降下、すなわち一次巻線Ｔ１を流れる電流が過大となったときに、直流出力電圧を目標電圧ＶＴよりも十分低く設定された閾値電圧ＶＴＨにまで低下させる第１保護動作と、（２）直流出力電圧が閾値電圧ＶＴＨに一致したまま所定の時間が経過するとスイッチング素子Ｑ１のスイッチングを停止させる第２保護動作とからなる。
【０００８】
なお、スイッチング電源装置１０の二次側の回路構成は、例えば、特許文献１（特に図６）に開示されている。
【先行技術文献】
【特許文献】
【０００９】
【特許文献１】特許第４８８８０２８号公報
【発明の概要】
【発明が解決しようとする課題】
【００１０】
しかしながら、上記従来のスイッチング電源装置１０は、ＯＵＴ２端子が短絡したときに過電流保護機能が十分に働かないという問題があった。この問題について、図６を参照しながら説明する。なお、ＶＯＵＴ１はＯＵＴ１端子の電圧、ＶＯＵＴ２はＯＵＴ２端子の電圧、ＶＧはＭＯＳトランジスタＱ２のゲート電圧、ＶＤＳはＭＯＳトランジスタＱ２のドレイン−ソース間電圧、ＩＤはＭＯＳトランジスタＱ２のドレイン電流である。また、ＣＮＴ端子には、Ｈレベルの外部信号が入力されているものとする。
【００１１】
短絡が発生していない時間ｔ０において、電圧ＶＯＵＴ１は目標電圧ＶＴに維持され、電圧ＶＯＵＴ２は目標電圧ＶＴよりもＭＯＳトランジスタＱ２が介装されている分だけ低いＶＴ’に維持されている。また、ＭＯＳトランジスタＱ２のゲート電圧ＶＧは、ＭＯＳトランジスタＱ２を導通状態とするのに必要な閾値電圧ＶＧＴＨよりも十分に高いＶＧ１となっている。ここで、導通状態とは、線形領域ではなく飽和領域で動作している状態を意味する。
【００１２】
時間ｔ１においてＯＵＴ２端子が短絡すると、過電流保護機能の第１保護動作により、制御部３が電圧ＶＯＵＴ１（＝直流出力電圧）を閾値電圧ＶＴＨに向かって低下させる。
【００１３】
電圧ＶＯＵＴ１が低下すると、ＭＯＳトランジスタＱ２のゲート電圧ＶＧも低下する。そして、時間ｔ２においてゲート電圧ＶＧが閾値電圧ＶＧＴＨを下回ると、ＭＯＳトランジスタＱ２は線形領域で動作し始める。言い換えると、ＭＯＳトランジスタＱ２は、導通状態と非導通状態の間の、中途半端に導通したような状態となる。ＭＯＳトランジスタＱ２がこのような状態になると、電流検出用抵抗Ｒ２に流れる電流は減少する。そして、制御部３の過電流保護機能は、第１保護動作が終了する前、すなわち、電圧ＶＯＵＴ１が閾値電圧ＶＴＨに到達する前に終了し、制御部３は、スイッチング素子Ｑ１をスイッチングさせ続ける。
【００１４】
以上のように、従来のスイッチング電源装置１０では、ＯＵＴ２端子が短絡したときにスイッチング素子Ｑ１のスイッチングが停止されないので、ＭＯＳトランジスタＱ２において過大な損失Ｐ’＝ＶＤＳ２×ＩＤ２が発生してしまう。
【００１５】
本発明は上記事情に鑑みてなされたものであって、その課題とするところは、オン状態とオフ状態とに切り替え可能な出力が短絡したときに発生する損失を、従来のものよりも低減することができるスイッチング電源装置を提供することにある。
【課題を解決するための手段】
【００１６】
上記課題を解決するために、本発明に係るスイッチング電源装置は、トランスの二次巻線に誘起された電圧から生成した直流出力電圧を出力する第１出力ラインと、第１出力ラインに接続された第２出力ラインと、第２出力ラインに介装された電圧制御型のスイッチ素子と、スイッチ素子に制御電圧を与える制御用抵抗と、制御用抵抗に電流を通流させることでスイッチ素子を導通状態にして直流出力電圧を第２出力ラインからも出力させる導通制御部と、直流出力電圧が目標電圧となるようにトランスの一次巻線に与えられた電圧をスイッチングするスイッチング部とを備えたスイッチング電源装置であって、
通常時に充電され、第２出力ラインによって電力供給されていた負荷が短絡したときに放電するコンデンサを備え、
スイッチング部は、一次巻線に流れる電流が過電流になると直流出力電圧を目標電圧よりも低下させ、直流出力電圧が低下したまま所定の時間が経過するとスイッチングを停止させる過電流保護機能を有し、上記所定の時間が経過するまでの間、制御電圧が、スイッチ素子を導通状態とすることができる電圧となるように制御用抵抗にコンデンサの放電電流が流れることを特徴とする。
【００１７】
この構成によれば、負荷が短絡した時に放電するコンデンサを備え、しかもコンデンサの放電電流が過電流保護機能の第２保護動作が開始されるまで制御用抵抗に流れ続けてスイッチ素子の導通状態が維持されるので、過電流保護機能の第２保護動作によりスイッチングを停止させてその後の損失の発生を防ぐことができる。
【００１８】
また、この構成によれば、スイッチングが停止させられるまでスイッチ素子の導通状態が維持される、すなわち、スイッチ素子が線形領域ではなく飽和領域で動作し続けるので、スイッチングが継続している間に発生する損失を低減することもできる。
【００１９】
上記スイッチング電源装置は、例えば、コンデンサの放電電流の流れを規制するダイオードをさらに備えることにより、放電電流を制御用抵抗に向かわせることができる。
【００２０】
上記スイッチング電源装置の具体的な構成としては、例えば、スイッチ素子が、Ｐ型のＭＯＳトランジスタであり、制御用抵抗が、ＭＯＳトランジスタのソース−ゲート間に接続され、導通制御部が、コレクタがＭＯＳトランジスタのゲートに接続され、エミッタがダイオードのアノードに接続され、かつベースに外部信号が入力されるＮＰＮトランジスタを含み、コンデンサの一端がＭＯＳトランジスタのソースに接続され、他端がＮＰＮトランジスタのエミッタに接続され、ダイオードのカソードが第１および第２出力ラインと組をなす基準ラインに接続された構成がある。
【発明の効果】
【００２１】
本発明によれば、オン状態とオフ状態とに切り替え可能な出力が短絡したときに発生する損失を、従来のものよりも低減することができるスイッチング電源装置を提供することができる。
【図面の簡単な説明】
【００２２】
【図１】本発明の一実施例に係るスイッチング電源装置の回路図である。
【図２】実施例に係るスイッチング電源装置における、コンデンサの放電電流の経路を示す図である。
【図３】実施例に係るスイッチング電源装置における、ダイオードにより規制されるコンデンサの放電電流の経路を示す図である。
【図４】実施例に係るスイッチング電源装置の動作波形図である。
【図５】従来のスイッチング電源装置の回路図である。
【図６】従来のスイッチング電源装置の動作波形図である。
【発明を実施するための形態】
【００２３】
以下、添付図面を参照しながら、本発明に係るスイッチング電源装置の実施例について説明する。
【００２４】
［構成］
図１に、本発明の一実施例に係るスイッチング電源装置を示す。同図に示すように、スイッチング電源装置１の一次側には、交流電源２からの交流電圧を整流するダイオードブリッジＤ１と、整流後の電圧を平滑するコンデンサＣ１と、整流・平滑後の電圧が印加されるトランスＴの一次巻線Ｔ１と、一次巻線Ｔ１に直列接続されたスイッチング素子Ｑ１と、スイッチング素子Ｑ１のスイッチングを制御する制御部３と、スイッチング素子Ｑ１に直列接続された電流検出用抵抗Ｒ２と、起動抵抗Ｒ１とが備えられている。
【００２５】
また、スイッチング電源装置１の一次側には、トランスＴの補助巻線Ｔ３と、補助巻線Ｔ３に誘起された電圧を整流するダイオードＤ３と、整流後の電圧を平滑するコンデンサＣ３とを含む補助電源部４も備えられている。補助電源部４が出力する直流電圧は、制御部３の電源電圧として使用される。
【００２６】
スイッチング電源装置１の二次側には、トランスＴの二次巻線Ｔ２と、二次巻線Ｔ２に誘起された電圧を整流するダイオードＤ２と、整流後の電圧を平滑するコンデンサＣ２と、整流・平滑により得られた直流出力電圧を出力する第１出力ラインＬ１と、第１出力ラインＬ１に接続された第２出力ラインＬ２と、第２出力ラインＬ２に介装されたＰ型のＭＯＳトランジスタＱ２と、ＭＯＳトランジスタＱ２に制御電圧を与える制御用抵抗Ｒ３と、ＭＯＳトランジスタＱ２のゲート電圧を緩やかに上昇または下降させるためのコンデンサＣ４と、ＣＮＴ端子に入力される外部信号に基づいて制御用抵抗Ｒ３に電流を通流させることでＭＯＳトランジスタＱ２を導通状態にする導通制御部５と、二次巻線Ｔ２のダイオードＤ２が接続されていない方の端部に接続された基準ラインＬ３とが備えられている。第１出力ラインＬ１にはＯＵＴ１端子が設けられ、第２出力ラインＬ２にはＯＵＴ２端子が設けられている。また、基準ラインＬ３にはＧＮＤ端子が設けられている。
【００２７】
制御用抵抗Ｒ３およびコンデンサＣ４は、ＭＯＳトランジスタＱ２のゲート−ソース間に設けられている。なお、図１において、第２出力ラインＬ２は第１出力ラインＬ１から分岐しているように描かれているが、第２出力ラインＬ２はダイオードＤ２のカソードに直接接続されていてもよい。
【００２８】
導通制御部５は、ＮＰＮトランジスタＱ３と、３つの抵抗Ｒ４、Ｒ５、Ｒ６とを含む。ＣＮＴ端子に入力される外部信号がＬレベルからＨレベルになると、ＮＰＮトランジスタＱ３がオンする。そして、制御用抵抗Ｒ３→抵抗Ｒ４→ＮＰＮトランジスタＱ３の経路で電流が流れ、制御用抵抗Ｒ３の両端に制御電圧が発生し、ＭＯＳトランジスタＱ２が導通状態となることで、ＯＵＴ１端子からだけでなくＯＵＴ２端子からも直流出力電圧が出力されるようになる。
【００２９】
抵抗Ｒ４は、ＮＰＮトランジスタＱ３のコレクタとＭＯＳトランジスタＱ２のゲートとの間に設けられている。抵抗Ｒ５は、ＮＰＮトランジスタＱ３のベースとＣＮＴ端子との間に設けられている。また、抵抗Ｒ６は、ＮＰＮトランジスタＱ３のベース−エミッタ間に設けられている。
【００３０】
図１では図示を省略しているが、ＯＵＴ１端子とＧＮＤ端子の間には負荷６が接続され、ＯＵＴ２端子とＧＮＤ端子の間には負荷７が接続されている（図２参照）。ＣＮＴ端子にＨレベルの外部信号が入力されると、負荷６だけでなく負荷７にも直流出力電圧が供給される。
【００３１】
スイッチング電源装置１の二次側には、さらに、コンデンサＣ５、ダイオードＤ４および抵抗Ｒ７が備えられている。コンデンサＣ５および抵抗Ｒ７は、ＭＯＳトランジスタＱ２のソースとＮＰＮトランジスタＱ３のエミッタとの間に設けられている。また、ダイオードＤ４のアノードはＮＰＮトランジスタＱ３のエミッタに接続され、カソードは基準ラインＬ３に接続されている。
【００３２】
制御部３は、二次側からフィードバックされた直流出力電圧をモニターしながら（図示せず）、当該直流出力電圧が目標電圧ＶＴに一致するようにスイッチング素子Ｑ１を制御する。また、制御部３は、過電流保護機能を有している。過電流保護機能は、（１）電流検出用抵抗Ｒ２による電圧降下、すなわち一次巻線Ｔ１を流れる電流が過大となったときに、直流出力電圧を目標電圧ＶＴよりも十分低く設定された閾値電圧ＶＴＨにまで低下させる第１保護動作と、（２）直流出力電圧が閾値電圧ＶＴＨに一致した状態で所定の時間ＴＷＡＩＴが経過するとスイッチング素子Ｑ１のスイッチングを停止させる第２保護動作とからなる。この過電流保護機能は、従来のスイッチング電源装置１０における過電流保護機能と同じものである。
【００３３】
なお、上記スイッチング電源装置１の構成要素のうち、スイッチング素子Ｑ１および制御部３は本発明の「スイッチング部」の一例である。また、ＭＯＳトランジスタＱ２は本発明の「電圧制御型のスイッチ素子」の一例である。
【００３４】
［動作］
続いて、スイッチング電源装置１の動作について説明する。スイッチング電源装置１が起動し、制御部３がスイッチング素子Ｑ１のスイッチングを制御し始めると、トランスＴの二次巻線Ｔ２に電圧が誘起され、ＯＵＴ１端子の電圧ＶＯＵＴ１が上昇を始める。この上昇の過程で、コンデンサＣ５→ダイオードＤ４の経路で流れる電流によりコンデンサＣ５は充電される。なお、スイッチング電源装置１が起動するとき、通常、ＣＮＴ端子に入力される外部信号はＬレベルとされる。このため、スイッチング電源装置１が起動したとき、ＭＯＳトランジスタＱ２は非導通状態となっている。
【００３５】
スイッチング電源装置１が起動した後、外部信号がＬレベルからＨレベルになると、ＮＰＮトランジスタＱ３がオンし、制御用抵抗Ｒ３に電流が流れ、ＭＯＳトランジスタＱ２が導通状態となる。
【００３６】
この状態でＯＵＴ２端子とＧＮＤ端子の間に接続された負荷７が短絡すると、図２に示すように、コンデンサＣ５の放電電流が制御用抵抗Ｒ３→抵抗Ｒ４→ＮＰＮトランジスタＱ３の経路で流れる。これにより、本実施例に係るスイッチング電源装置１では、負荷７が短絡した後においても、コンデンサＣ５の容量に応じた時間だけＭＯＳトランジスタＱ２の導通状態を維持することができる。
【００３７】
なお、ダイオードＤ４が存在しているので、図３に示す負荷７を通る経路でコンデンサＣ５の放電電流が流れることはない。ダイオードＤ４は、コンデンサＣ５の放電電流が制御用抵抗Ｒ３に向かうように、放電電流の流れを規制していると言える。
【００３８】
図４に、スイッチング電源装置１の動作波形を示す。図６と同様、ＶＯＵＴ１はＯＵＴ１端子の電圧、ＶＯＵＴ２はＯＵＴ２端子の電圧、ＶＧはＭＯＳトランジスタＱ２のゲート電圧、ＶＤＳはＭＯＳトランジスタＱ２のドレイン−ソース間電圧、ＩＤはＭＯＳトランジスタＱ２のドレイン電流である。また、ＣＮＴ端子には、Ｈレベルの外部信号が入力されているものとする。
【００３９】
短絡が発生していない時間ｔ０において、電圧ＶＯＵＴ１は目標電圧ＶＴに維持され、電圧ＶＯＵＴ２は目標電圧ＶＴよりもＭＯＳトランジスタＱ２が介装されている分だけ低いＶＴ’に維持されている。また、ＭＯＳトランジスタＱ２のゲート電圧ＶＧは、ＭＯＳトランジスタＱ２を導通状態とするのに必要な閾値電圧ＶＧＴＨよりも十分に高いＶＧ１となっている。
【００４０】
時間ｔ１においてＯＵＴ２端子に接続された負荷７が短絡すると、過電流保護機能の第１保護動作により、制御部３が電圧ＶＯＵＴ１（＝直流出力電圧）を閾値電圧ＶＴＨに向かって低下させる。電圧ＶＯＵＴ１が低下すると、ＭＯＳトランジスタＱ２のゲート電圧ＶＧもそれに追従して低下しそうになる。しかしながら、上記の通り、本実施例に係るスイッチング電源装置１では、負荷７が短絡したときにコンデンサＣ５の放電電流が制御用抵抗Ｒ３に流れるので、制御電圧（＝ＭＯＳトランジスタＱ２のゲート電圧ＶＧ）は従来よりも非常に緩やかに低下する。そして、その結果、電圧ＶＯＵＴ１が閾値電圧ＶＴＨに到達する時間ｔ２においても、制御電圧は閾値電圧ＶＧＴＨよりも高い電圧に保たれる。
【００４１】
時間ｔ２において過電流保護機能の第１保護動作が終了すると、第２保護動作が開始される。そして、電圧ＶＯＵＴ１が閾値電圧ＶＴＨに一致した状態（ＭＯＳトランジスタＱ２のドレイン−ソース間電圧ＶＤＳが電圧ＶＯＵＴ１として出力された状態）で所定の時間ＴＷＡＩＴが経過すると（時間ｔ３）、制御部３はスイッチング素子Ｑ１のスイッチングを停止させる。これにより、スイッチング電源装置１は、時間ｔ４において完全に停止する。
【００４２】
コンデンサＣ５は、所定の時間ＴＷＡＩＴが経過するまでの間、制御電圧が閾値電圧ＶＧＴＨを下回ることがないように容量が設定されている。このため、本実施例に係るスイッチング電源装置１では、負荷７が短絡した場合に過電流保護機能の第１保護動作および第２保護動作を確実に作動させることができる。また、本実施例に係るスイッチング電源装置１では、短絡後もＭＯＳトランジスタＱ２の導通状態が維持されるので、ＭＯＳトランジスタＱ２のドレイン−ソース間電圧ＶＤＳが短絡の前後において変動せず、時間ｔ２以降に発生する損失Ｐ＝ＶＤＳ１×ＩＤ２が従来のスイッチング電源装置１０における損失Ｐ’＝ＶＤＳ２×ＩＤ２よりも随分と小さいものとなる。
【００４３】
以上、本発明に係るスイッチング電源装置の実施例について説明したが、本発明は実施例の構成に限定されるものではない。
【００４４】
例えば、実施例に係るスイッチング電源装置１は、一次側に起動抵抗Ｒ１および補助電源部４を備えているが、これらは適宜省略することができる。また、スイッチング電源装置１は、二次側に抵抗Ｒ７およびコンデンサＣ４を備えているが、これらも適宜省略することができる。
【００４５】
また、導通制御部５は、外部信号に応じて制御用抵抗Ｒ３に電流を流し得る任意の回路に置き換えることができる。
【００４６】
また、オン状態とオフ状態とに切り替え可能な出力の数、および切り替え不能な出力の数は、駆動すべき負荷の数等に応じてそれぞれ２以上にすることができる。
【符号の説明】
【００４７】
１    スイッチング電源装置
２    交流電源
３    制御部
４    補助電源部
５    導通制御部
６    負荷
７    負荷
【図１】
2015211579.tif 000003
【図２】
2015211579.tif 000004
【図３】
2015211579.tif 000005
【図４】
2015211579.tif 000006
【図５】
2015211579.tif 000007
【図６】
2015211579.tif 000008